(57)【要約】【課題】主液晶表示部の輝度むらを抑えつつ省電力化を実現した表示装置を提供する。【解決手段】表示装置は、主液晶表示部３と、補助的な表示を行う副液晶表示部４と、主液晶表示部３および副液晶表示部４に向けて光を照射する蛍光ランプ５と、蛍光ランプ５からの光を、電極近傍を除いた発光管５ａからの光と電極近傍の発光管５ａからの光に分割する仕切板６とを備えている。そして、電極近傍を除いた発光管５ａからの光を主液晶表示部３に照射するとともに、電極近傍の発光管５ａからの光を副液晶表示部４に照射している。【選択図】図１
2009288346.tif 000002
【特許請求の範囲】
【請求項１】
主液晶表示部と、補助的な表示を行う少なくとも１つの副液晶表示部と、主液晶表示部および副液晶表示部に向けて光を照射する蛍光ランプと、蛍光ランプから両液晶表示部に照射される光を、電極近傍を除いた発光管の直管部分からの光と、電極近傍または発光管の曲がり部の少なくとも何れか一方からの光に分割する少なくとも１つの仕切部材とを備え、電極近傍を除いた発光管の直管部分からの光を前記主液晶表示部に照射するとともに、電極近傍または発光管の曲がり部の少なくとも何れか一方からの光を前記副液晶表示部に照射したことを特徴とする表示装置。
【請求項２】
前記主液晶表示部および副液晶表示部を一体に設けたことを特徴とする請求項１記載の表示装置。
【請求項３】
前記主液晶表示部および副液晶表示部は１枚のガラス基板により一体に形成され、前記副液晶表示部の液晶素子の大きさを前記主液晶表示部の液晶素子よりも大きくしたことを特徴とする請求項１記載の表示装置。
【請求項４】
前記副液晶表示部は、前記主液晶表示部と異なる面に配置されたことを特徴とする請求項１〜３の何れか１項に記載の表示装置。
【請求項５】
前記副液晶表示部は、装置を操作するための操作入力機能を備えたことを特徴とする請求項１〜４の何れか１項に記載の表示装置。
【請求項６】
複数の前記蛍光ランプを備え、各蛍光ランプの発光管の最冷部に接触するとともに複数の前記最冷部を互いに熱的に結合させる熱伝導手段を前記仕切部材に設けたことを特徴とする請求項１〜５の何れか１項に記載の表示装置。
【請求項７】
前記仕切部材は前記蛍光ランプの温度を検出する温度検出手段を有し、当該温度検出手段の検出結果に応じて前記蛍光ランプを制御する制御手段を設けたことを特徴とする請求項１〜６の何れか１項に記載の表示装置。
【請求項８】
前記副液晶表示部は、前記蛍光ランプからの光出力に応じて透過率を調節する透過率調節手段を備えたことを特徴とする請求項１〜７の何れか１項に記載の表示装置。
【発明の詳細な説明】
【技術分野】
【０００１】
本発明は、液晶を用いた表示装置に関するものである。
【背景技術】
【０００２】
従来より、液晶画面のバックライトとして直管型の蛍光ランプを用いた液晶表示装置が提供されており（例えば特許文献１参照）、特に大型の液晶表示装置の場合には、液晶画面に沿って平行に配置された複数の蛍光ランプを一様に発光させることで、液晶画面全体を均一に発光させていた。したがって、液晶表示装置が大型化するにつれて蛍光ランプの使用本数が増え、コストアップになっていた。
【０００３】
そこで、コストアップを抑えるために、発光管が曲げ管により形成された蛍光ランプを用いた液晶表示装置が提案されている（例えば特許文献２参照）。すなわち、本例の液晶表示装置では、例えば従来の直管型の蛍光ランプであれば複数本必要なところに、１本の曲げ管の蛍光ランプで代用することができるので、蛍光ランプの使用本数を大幅に削減することができ、その結果コストアップを抑えることができるものであった。
【特許文献１】特開平６−４３４２５号公報（段落［００１１］−段落［００２５］、及び、第１、２図）
【特許文献２】特許第３４４１２２８号公報（段落［００１２］−段落［００１４］、及び、第１、２図）
【発明の開示】
【発明が解決しようとする課題】
【０００４】
上述の前者の特許文献１に示した液晶表示装置では、フィラメントからの発熱の影響を避けるために電極近傍からの光を有効利用しておらず、その分蛍光ランプの発光効率が低下していた。
【０００５】
また、後者の特許文献２に示した液晶表示装置では、蛍光ランプの曲がり部の輝度が他の部位に比べて高くなってしまうとともに、電極近傍の発光管が黒化するため、この蛍光ランプでは液晶画面を均一に発光させるのが困難であった。さらに、蛍光ランプによる発光むらを液晶画面の表示により補正することも可能であるが、この場合液晶画面に表示したものがぼやけたり、色再現性に問題が生じる場合があった。特に、蛍光ランプの使用本数を少なくするほど、上記傾向は顕著になっていた。
【０００６】
本発明は上記問題点に鑑みて為されたものであり、その目的とするところは、主液晶表示部の輝度むらを抑えつつ省電力化を実現した表示装置を提供することにある。
【課題を解決するための手段】
【０００７】
請求項１の発明は、主液晶表示部と、補助的な表示を行う少なくとも１つの副液晶表示部と、主液晶表示部および副液晶表示部に向けて光を照射する蛍光ランプと、蛍光ランプから両液晶表示部に照射される光を、電極近傍を除いた発光管の直管部分からの光と、電極近傍または発光管の曲がり部の少なくとも何れか一方からの光に分割する少なくとも１つの仕切部材とを備え、電極近傍を除いた発光管の直管部分からの光を主液晶表示部に照射するとともに、電極近傍または発光管の曲がり部の少なくとも何れか一方からの光を副液晶表示部に照射したことを特徴とする。
【０００８】
請求項２の発明は、主液晶表示部および副液晶表示部を一体に設けたことを特徴とする。
【０００９】
請求項３の発明は、主液晶表示部および副液晶表示部は１枚のガラス基板により一体に形成され、副液晶表示部の液晶素子の大きさを主液晶表示部の液晶素子よりも大きくしたことを特徴とする。
【００１０】
請求項４の発明は、副液晶表示部は、主液晶表示部と異なる面に配置されたことを特徴とする。
【００１１】
請求項５の発明は、副液晶表示部は、装置を操作するための操作入力機能を備えたことを特徴とする。
【００１２】
請求項６の発明は、複数の蛍光ランプを備え、各蛍光ランプの発光管の最冷部に接触するとともに複数の最冷部を互いに熱的に結合させる熱伝導手段を仕切部材に設けたことを特徴とする。
【００１３】
請求項７の発明は、仕切部材は蛍光ランプの温度を検出する温度検出手段を有し、当該温度検出手段の検出結果に応じて蛍光ランプを制御する制御手段を設けたことを特徴とする。
【００１４】
請求項８の発明は、副液晶表示部は、蛍光ランプからの光出力に応じて透過率を調節する透過率調節手段を備えたことを特徴とする。
【発明の効果】
【００１５】
請求項１の発明によれば、輝度変化が生じやすい電極近傍や発光管の曲がり部からの光は仕切部材により遮光されて主液晶表示部に照射されないので、主液晶表示部の輝度むらを抑えることができる。さらに、主液晶表示部に比べて輝度むらの許容範囲が広い副液晶表示部に電極近傍や上記曲がり部からの光を照射させることによって、蛍光ランプの光を有効に利用して同一の蛍光ランプで主液晶表示部および副液晶表示部の両方を表示させることができるので、省電力化を図ることができるとともにコストアップを抑えることができるという効果がある。
【００１６】
請求項２の発明によれば、主液晶表示部および副液晶表示部を一体に設けることによって、部品点数を増やすことなく複数の表示が行えるので、高機能を備えた表示装置を低コストで実現することができるという効果がある。
【００１７】
請求項３の発明によれば、請求項２の発明と同様に部品点数を増やすことなく複数の表示を行うことができ、また副液晶表示部には文字、記号、音量表示などの比較的簡単な情報が表示されるので、副液晶表示部の液晶素子は主液晶表示部の液晶素子よりも大きくするのが好ましく、この場合製造コストを抑えることができるという効果がある。
【００１８】
請求項４の発明によれば、副液晶表示部を主液晶表示部と異なる面に配置することによって、副液晶表示部を透過して主液晶表示部と異なる方向に照射される光により空間の演出性を高めることができるという効果がある。
【００１９】
請求項５の発明によれば、副液晶表示部に操作入力機能を設けることによって、副液晶表示部の表示により操作内容を容易に視認することができるので、操作性を向上させた表示装置を提供することができるという効果がある。特に、副液晶表示部を主液晶表示部と異なる面に配置した場合には、視聴者が主液晶表示部に表示された内容を視聴するのを妨げることなく操作を行うことができるという効果もある。
【００２０】
請求項６の発明によれば、熱伝導手段を各蛍光ランプの発光管の最冷部に接触させて複数の最冷部を熱的に結合させることによって、各蛍光ランプの最冷部の温度差を小さくすることができるので、各蛍光ランプからの光の照度を同程度にすることができ、その結果主液晶表示部の輝度むらを抑えることができるという効果がある。また、熱伝導手段を仕切部材に設けることによって、最冷部の温度を同程度にするための部材を別に設けなくてもいいから、部品点数を削減することができ、さらに組立時において仕切部材を組み付けることで熱伝導手段も一緒に組み付けられるから、組立工数を削減することもできるという効果がある。
【００２１】
請求項７の発明によれば、温度検出手段を仕切部材に設けることによって、温度検出手段を電極近傍に配置することができるので、寿命末期における電極の温度上昇を正確に検出することができ、さらに温度上昇を検出した際に蛍光ランプを消灯させることで安全性を高めた表示装置を提供することができるという効果がある。
【００２２】
請求項８の発明によれば、透過率調節手段により副液晶表示部の透過率を調節することによって、蛍光ランプからの光出力に関わらず安定した表示を行うことができるという効果がある。
【発明を実施するための最良の形態】
【００２３】
以下に本発明に係る表示装置の実施形態を図面に基づいて説明する。本発明に係る表示装置は、例えば液晶パネルからなる液晶表示部を備えたテレビであって、選択したチャンネルに応じた映像が主液晶表示部に表示されるとともに、チャンネルを変更するための操作入力部などの補助的な機能が副液晶表示部に表示されるようになっている。
【００２４】
（実施形態１）
図１は本実施形態の表示装置を示し、横長の略矩形箱状の装置本体１と、装置本体１の前面側に開口する表示窓（図示せず）を臨んで配置される液晶表示部２と、液晶表示部２に向けて光を照射する複数（本実施形態では６本）の蛍光ランプ５と、蛍光ランプ５からの光を分割する仕切板６とを備えている。なお、装置本体１の下側には支持台８が一体に設けられており、この支持台８により表示装置が支持されるようになっている（図１（ａ）参照）。また、装置本体１の前面側には、液晶表示部２の下部に一対のスピーカ７、７が配置されている。
【００２５】
液晶表示部２は、例えばガラス基板からなる横長の略矩形板状の主液晶表示部３と、主液晶表示部３と一体に形成された縦長の副液晶表示部４とで構成されており、主液晶表示部３には選択されたチャンネルに応じた映像が表示されるとともに、副液晶表示部４には現在選択されているチャンネルや現在時刻や音量表示などが表示されるようになっている。
【００２６】
蛍光ランプ５は、直管状の発光管５ａを有し、発光管５ａの両端部にはランプソケット９（図１（ｃ）参照）に接続される口金５ｂ、５ｂがそれぞれ設けられており、各口金５ｂにはフィラメント電極が保持されている。そして、複数の蛍光ランプ５は、上下方向に一定の間隔を空けて並べて配置されている。なお、主液晶表示部３の背面側には、蛍光ランプ５との間に拡散板（図示せず）が配置されており、蛍光ランプ５から主液晶表示部３へ向かう光を拡散できるようになっている。ここに、点灯回路１８は複数の蛍光ランプ５に対して点灯電力を供給することになるが、図１（ｂ）では図示を簡単にするために一番上側の蛍光ランプ５以外の蛍光ランプ５への矢印は省略している。
【００２７】
蛍光ランプ５の一方（図１（ｂ）中の右側）の電極近傍には、図１（ｃ）に示すように仕切板６（仕切部材）が配置されており、この仕切板６により蛍光ランプ５から両液晶表示部３、４に照射される光が、電極近傍を除いた発光管５ａからの光と電極近傍の発光管５ａからの光に分割されている。そして、電極近傍を除いた発光管５ａからの光は上記拡散板を介して主液晶表示部３に照射され、電極近傍の発光管５ａからの光は副液晶表示部４に照射されるようになっている。すなわち、電極近傍部分が副液晶表示部４に対向する形で蛍光ランプ５が配置されているので、電極部分からの熱影響を抑制するために副液晶表示部４と蛍光ランプ５の間に断熱部材（図示せず）を挿入するのが好ましい。なお、蛍光ランプ５の他方（図１（ｂ）中の左側）の口金５ｂは、主液晶表示部３よりも外側位置に配置されており、口金５ｂ近傍（電極近傍）の発光管５ａからの光が主液晶表示部３に入射されないようになっている。
【００２８】
ここで、副液晶表示部４は、比較的簡単な情報表示、例えば文字や記号や現在時刻や音量表示などを行うように構成されているので、複雑な映像を表示する主液晶表示部３とは特性が異なる液晶パネルを用いるのが好ましく、例えば副液晶表示部４の液晶素子の大きさが主液晶表示部３の液晶素子よりも大きく、且つ、光の透過率が高い液晶パネルがよい。また、文字情報のような静止画像では、表示更新周期を遅くすることで鮮明な表示を行うことができるので、副液晶表示部４の表示更新周期は極力遅くするほうが好ましい。而して、本実施形態の表示装置によれば、電極近傍の発光管５ａからの光を副液晶表示部４に照射することによって副液晶表示部４の表示輝度を高めることができ、さらに表示更新周期を極力遅くすることによって鮮明な画像を表示することができる。
【００２９】
ここに、蛍光ランプ５は、点灯時間とともに電極近傍の発光管５ａが黒化し、この部分からの光の照射量が低下するため、点灯時間とともに副液晶表示部４の表示が見え難くなってしまう。そこで、本実施形態の表示装置では、タイマ１９ａにより蛍光ランプ５の点灯時間を計測し、制御部１９が上記計測時間に応じて副液晶表示部４の透過率を調節している。すなわち、制御部１９が点灯時間とともに副液晶表示部４の透過率を高く設定することによって、副液晶表示部４のコントラストが高く設定され、その結果蛍光ランプ５からの光量が低下した場合でも副液晶表示部４の表示内容を視認できるようになっている。また、調光機能を備えた表示装置である場合には、蛍光ランプ５の調光レベルに応じて透過率を調節することで調光レベルに応じたコントラストが設定され、その結果調光レベルに関わらず副液晶表示部４の表示内容を視認することができる。
【００３０】
而して、本実施形態の表示装置によれば、主液晶表示部３に電極近傍を除いた発光管５ａからの光のみを照射しており、輝度変化が生じやすい電極近傍の発光管５ａからの光は仕切板６により遮光されて照射されないので、主液晶表示部３の輝度むらを抑えることができる。さらに、主液晶表示部３に比べて輝度むらの許容範囲が広い副液晶表示部４に、電極近傍の発光管５ａからの光を照射させることによって、蛍光ランプ５の光を有効に利用して同一の蛍光ランプ５で主液晶表示部３および副液晶表示部４の両方を表示させることができるので、省電力化を図ることができるとともにコストアップを抑えることができる。また、主液晶表示部３から離れた位置（すなわち、仕切板６に対して副液晶表示部４側）に蛍光ランプ５の電極部分を配置しているので、主液晶表示部３に対する電極部分からの熱影響を低減することもできる。
【００３１】
さらに、本実施形態によれば、主液晶表示部３と副液晶表示部４を一体に設けているので、部品点数を増やすことなく複数の表示を行うことができ、その結果高機能を備えた表示装置を低コストで実現することができる。また、副液晶表示部４には文字、記号、音量表示などの比較的簡単な情報が表示されるので、副液晶表示部４の液晶素子は主液晶表示部３の液晶素子よりも大きくするのが好ましく、この場合製造コストを抑えることができる。
【００３２】
ここで、一般の表示装置では、操作表示部が液晶表示部の画面内にスーパーインポーズ（表示画面に重ねて表示）されたものが多く、この場合操作表示部を見ながら操作することになるが、表示画面に表示されている映像が一定でないため、操作表示部に表示される記号などのコントラストが不安定になり、その結果視認性がよくないものとなっていた。そこで、視認性を確保するために操作表示部を大きくすることが考えられるが、この場合操作中に表示される映像の表示面積が小さくなってしまう。そこで、本実施形態の表示装置では、映像を表示する主液晶表示部３とは別に操作入力機能を備えた副液晶表示部４を設けており、さらに発熱により主液晶表示部３の光源として使用できない電極近傍の発光管５ａからの光を副液晶表示部４へ照射することで操作性を向上させている。
【００３３】
なお、この副液晶表示部４を大きくした場合には、多彩な情報表示を行うことができ、利便性を高めることができる。また、主液晶表示部３と副液晶表示部４にそれぞれ表示する内容を別々に制御することができるので、画像処理を容易に行うことができる。
【００３４】
なお、本実施形態では、主液晶表示部３と副液晶表示部４を一体に設けた場合を例に説明したが、主液晶表示部３と副液晶表示部４は別体であってもよい。
【００３５】
（実施形態２）
図２は本実施形態の表示装置を示しており、実施形態１では液晶表示部２の光源として直管型の蛍光ランプ５を用いているが、本実施形態では直管状の２本の発光管１０ａ、１０ａを連結管１０ｂにより一体に連結させた略Ｕ字型の蛍光ランプ１０を用いている。また、実施形態１では、主液晶表示部３と副液晶表示部４を一体に設けているが、本実施形態では主液晶表示部３と副液晶表示部４を別体に設けている。それ以外の構成は実施形態１と同様であり、同一の構成要素には同一の符号を付して説明は省略する。
【００３６】
本実施形態では、主液晶表示部３と副液晶表示部４を別体に設けており、主液晶表示部３は装置本体１の前面側に、副液晶表示部４は装置本体１の右側面にそれぞれ配置されている。
【００３７】
蛍光ランプ１０は、直管状の２本の発光管１０ａ、１０ａを一端側（図２（ｃ）中の右側）において連結管１０ｂにより一体に連結させるとともに（以下、この部分を連結部という。）、発光管１０ａの他端側にフィラメント電極を保持する口金１０ｃを設けている。そして、複数（本実施形態では２本）の蛍光ランプ１０を、上下方向に一定の間隔を空けて並べて配置している。
【００３８】
蛍光ランプ１０の連結部近傍には、図２（ｂ）に示すように仕切板６が配置されており、この仕切板６により蛍光ランプ１０から両液晶表示部３、４に照射される光が、連結部（曲がり部）近傍を除いた発光管１０ａからの光と連結部近傍の発光管１０ａからの光に分割されている。そして、連結部近傍を除いた発光管１０ａからの光は上記拡散板を介して主液晶表示部３に照射され、連結部近傍の発光管１０ａからの光は副液晶表示部４に照射されるようになっている。なお、蛍光ランプ１０の口金１０ｃは、図２（ｃ）に示すように主液晶表示部３よりも外側位置に配置されており、口金１０ｃ近傍（電極近傍）の発光管１０ａからの光が主液晶表示部３に入射されないようになっている。
【００３９】
ここに、連結部からの光は輝度が高いため、主液晶表示部３への光源として用いた場合には輝度むらが生じてしまうが、本実施形態では連結部を除いた発光管１０ａからの光を主液晶表示部３に照射しているので、輝度むらを抑制することができる。また、本実施形態では、各蛍光ランプ１０の最冷部を構成する連結部を同じ閉空間に配置しているので、両蛍光ランプ５、５の最冷点温度を同じ温度にすることができ、その結果蛍光ランプ５、５間の輝度のばらつきを低減することができる。
【００４０】
ここで、装置本体１の側面に配置された副液晶表示部４は、実施形態１と同様に操作入力機能を備えている。図２（ｄ）は副液晶表示部４に表示される操作入力画面の一例を示しており、副液晶表示部４は各表示スイッチ４ａ〜４ｅの何れかをタッチすることでスイッチが選択されるタッチパネルにより構成されている。而して、本実施形態の表示装置によれば、操作入力機能を有する副液晶表示部４が主液晶表示部３と異なる面に設けられているので、視聴者が主液晶表示部３に表示された映像を視聴するのを妨げることなく操作を行うことができる。
【００４１】
なお、本実施形態では、主液晶表示部３と副液晶表示部４が別体に設けられているが、例えば液晶表示部２をＬ字状に形成することで主液晶表示部３と副液晶表示部４を一体に設けてもよい。
【００４２】
（実施形態３）
図３は本実施形態の表示装置を示しており、実施形態２では副液晶表示部４を装置本体１の側面に配置するとともに、副液晶表示部４を操作機能部として用いているが、本実施形態では副液晶表示部４を装置本体１の背面側（すなわち、主液晶表示部３と反対側）であって主液晶表示部３の両側に配置するとともに、副液晶表示部４を透過する光を演出照明として用いている。なお、それ以外の構成は実施形態２と同様であり、同一の構成要素には同一の符号を付して説明は省略する。
【００４３】
本実施形態の表示装置では、副液晶表示部４を透過した光が表示装置の背面側にある壁１１に照射されるようになっており（図３（ａ）中の領域ａ参照）、例えば主液晶表示部３に表示される映像内容に応じてカラーフィルタなどで光の色を変えたり、透過率を調節して明るさを変えることによって空間の演出性を高めることができる。また、本実施形態では、実施形態２と同様に副液晶表示部４の光源として、主液晶表示部３に光を照射するための蛍光ランプ（図示せず）を共用しているので、省電力化を図ることができるとともにコストアップを抑えることができる。
【００４４】
（実施形態４）
図４は本実施形態の表示装置を示しており、実施形態１では主液晶表示部３の長手方向一端側（図１（ａ）中の右側）にのみ副液晶表示部４を配置しているが、本実施形態では主液晶表示部３の長手方向両側に副液晶表示部４、４を配置している。また、実施形態１では液晶表示部２の光源として直管型の蛍光ランプ５を用いているが、本実施形態では複数（本実施形態では３個）の曲がり部１２ｂを有する発光管を備えた蛍光ランプ１２を用いている。なお、それ以外の構成は実施形態１と同様であり、同一の構成要素には同一の符号を付して説明は省略する。
【００４５】
本実施形態では、主液晶表示部３と複数（本実施形態では２個）の副液晶表示部４とが一体に構成され、主液晶表示部３の長手方向（図４（ｂ）中の左右方向）両側に副液晶表示部４、４がそれぞれ配置されている。
【００４６】
蛍光ランプ１２は、図４（ｂ）に示すように複数（本実施形態では４本）の直管状の発光管１２ａと、各発光管１２ａの片側の端部同士を繋ぐ曲がり部１２ｂとで略Ｍ字状に一体成形された発光管を備え、この発光管の両端にフィラメント電極を保持する口金１２ｃを設けている。
【００４７】
蛍光ランプ１２の一端側（図４（ｂ）中の右側）の曲がり部１２ｂの近傍、ならびに、他端側の口金１２ｃおよび曲がり部１２ｂの近傍には、それぞれ仕切板６が配置されており、各仕切板６により蛍光ランプ１２から両液晶表示部３、４に照射される光が、電極近傍を除いた発光管１２ａの直管部分からの光と、電極近傍の発光管１２ａまたは曲がり部１２ｂからの光に分割されている。そして、電極近傍を除いた発光管１２ａの直管部分からの光が主液晶表示部３に照射されるとともに、電極近傍の発光管１２ａまたは曲がり部１２ｂからの光が主液晶表示部３の左右両側に配置された副液晶表示部４、４に照射されるようになっている。
【００４８】
而して、本実施形態の表示装置によれば、実施形態１と同様に、主液晶表示部３に電極近傍を除いた発光管１２ａの直管部分からの光のみを照射しており、輝度変化が生じやすい電極近傍の発光管１２ａや曲がり部１２ｂからの光は仕切板６により遮光されて照射されないので、主液晶表示部３の輝度むらを抑えることができる。さらに、主液晶表示部３に比べて輝度むらの許容範囲が広い副液晶表示部４に、電極近傍の発光管１２ａや曲がり部１２ｂからの光を照射させることによって、蛍光ランプ１２の光を有効に利用して同一の蛍光ランプ１２で主液晶表示部３および副液晶表示部４の両方を表示させることができるので、省電力化を図ることができるとともにコストアップを抑えることができる。また、本実施形態の表示装置を、例えば３２インチの表示装置とした場合には、高画質で且つ高機能な表示装置を実現することができる。
【００４９】
（実施形態５）
図５は本実施形態の表示装置を示しており、実施形態４では主液晶表示部３の長手方向（図４（ｂ）中の左右方向）両側に副液晶表示部４、４を配置しているが、本実施形態では主液晶表示部３の幅方向（図５（ｂ）中の上下方向）両側に副液晶表示部４、４を配置している。なお、それ以外の構成は実施形態４と同様であり、同一の構成要素には同一の符号を付して説明は省略する。
【００５０】
本実施形態では、主液晶表示部３と複数（本実施形態では２個）の副液晶表示部４とが一体に構成され、主液晶表示部３の幅方向（図５（ｂ）中の上下方向）両側に副液晶表示部４、４がそれぞれ配置されている。
【００５１】
蛍光ランプ１２は、実施形態４で説明した蛍光ランプ１２と同様のものであるが、本実施形態では口金１２ｃおよび曲がり部１２ｂが上下方向となるように配置され、さらに複数（本実施形態では２個）の蛍光ランプ１２を、左右方向に一定の間隔を空けて並べて配置している。
【００５２】
蛍光ランプ１２の一端側（図５（ｂ）中の上側）の曲がり部１２ｂの近傍、ならびに、他端側の口金１２ｃおよび曲がり部１２ｂの近傍には、それぞれ仕切板６が配置されており、各仕切板６により蛍光ランプ１２から両液晶表示部３、４に照射される光が、電極近傍を除いた発光管１２ａの直管部分からの光と、電極近傍の発光管１２ａまたは曲がり部１２ｂからの光に分割されている。そして、電極近傍を除いた発光管１２ａの直管部分からの光が主液晶表示部３に照射されるとともに、電極近傍の発光管１２ａまたは曲がり部１２ｂからの光が主液晶表示部３の上下両側に配置された副液晶表示部４、４に照射されるようになっている。
【００５３】
而して、本実施形態の表示装置によれば、実施形態４と同様に、主液晶表示部３に電極近傍を除いた発光管１２ａの直管部分からの光のみを照射しており、輝度変化が生じやすい電極近傍の発光管１２ａや曲がり部１２ｂからの光は仕切板６により遮光されて照射されないので、主液晶表示部３の輝度むらを抑えることができる。さらに、主液晶表示部３に比べて輝度むらの許容範囲が広い副液晶表示部４に、電極近傍の発光管１２ａや曲がり部１２ｂからの光を照射させることによって、蛍光ランプ１２の光を有効に利用して同一の蛍光ランプ１２で主液晶表示部３および副液晶表示部４の両方を表示させることができるので、省電力化を図ることができるとともにコストアップを抑えることができる。また、本実施形態の表示装置は、主液晶表示部３の上下方向両側に副液晶表示部４を配置しているので、例えば本実施形態の表示装置をパソコンに適用することで、項目表示に適した表示を行うことができる。
【００５４】
（実施形態６）
図６は本実施形態の表示装置を示しており、実施形態２に示した表示装置に対して、複数（本実施形態では２個）の熱伝導体１４および各熱伝導体１４同士を熱的に結合させる熱伝導金属線１５を用いて各蛍光ランプ１０の最冷点制御を行う点で相違している。なお、それ以外の構成は実施形態２と同様であり、同一の構成要素には同一の符号を付して説明は省略する。
【００５５】
本実施形態の仕切板６には、図６（ｂ）に示すように蛍光ランプ１０の直管状の発光管１０ａを挿通させるための挿通孔６ａが複数（本実施形態では４個）貫設されており、４個の挿通孔６ａのうちの２箇所には熱伝導体１４が開口端縁にそれぞれ配置され、両熱伝導体１４、１４間は熱伝導金属線１５により熱的に結合されている。そして、各蛍光ランプ１０の発光管１０ａを対応する挿通孔６ａにそれぞれ挿通させることで、各熱伝導体１４がそれぞれ対応する発光管１０ａと接触するようになっており、各発光管１０ａの管壁温度の温度差が小さくなるように構成されている。なお、本実施形態では連結管１０ｂが最冷部となり、各熱伝導体１４を最冷部近傍で発光管１０ａにそれぞれ接触させることで最冷点温度を制御している。ここに、熱伝導体１４、１４および熱伝導金属線１５により熱伝導手段が構成されている。
【００５６】
而して、本実施形態の表示装置によれば、熱伝導金属線１５により熱的に結合させた熱伝導体１４、１４をそれぞれ対応する蛍光ランプ１０の最冷部近傍の発光管１０ａに接触させ、複数の最冷部を熱的に結合させることによって、各蛍光ランプ１０の最冷部の温度差を小さくすることができるので、各蛍光ランプ１０からの光の照度を同程度にすることができ、その結果主液晶表示部３の輝度むらを抑えることができる。また、熱伝導体１４および熱伝導金属線１５を仕切板６に設けることによって、最冷部の温度を同程度にするための部材を別に設けなくてもいいから部品点数を削減することができ、さらに組立時において仕切板６を組み付けることで熱伝導手段も一緒に組み付けられるから、組立工数を削減することもできる。
【００５７】
なお、本実施形態では、仕切板６に熱伝導手段（熱伝導体１４および熱伝導金属線１５）を設けた場合を例に説明したが、仕切板６自体を熱伝導性の高い材料で形成し、取付状態で各蛍光ランプ１０の最冷部近傍の発光管１０ａに接触するように構成してもよい。この場合も同様に各蛍光ランプ１０の最冷部の温度差を小さくすることができるので、各蛍光ランプ１０からの光の照度を同程度にすることができ、その結果主液晶表示部３の輝度むらを抑えることができる。
【００５８】
（実施形態７）
図７は本実施形態の表示装置を示しており、実施形態１に示した表示装置に対して、複数（本実施形態では４個）の熱伝導体１４および熱伝導金属線１５を用いるとともに、各熱伝導金属線１５の温度（すなわち、発光管５ａの管壁温度）を検出する温度センサ１６を用いることで、蛍光ランプ５の温度制御を行う点で相違している。なお、それ以外の構成は実施形態１と同様であり、同一の構成要素には同一の符号を付して説明は省略する。
【００５９】
本実施形態の仕切板６には、図７（ｂ）に示すように蛍光ランプ５の発光管５ａを挿通させるための挿通孔６ａが複数（本実施形態では４個）貫設されており、各挿通孔６ａの開口端縁には熱伝導体１４がそれぞれ配置され、各熱伝導体１４の間は熱伝導金属線１５、１５により熱的に結合されている。そして、各蛍光ランプ５の発光管５ａを対応する挿通孔６ａにそれぞれ挿通させることで、各熱伝導体１４がそれぞれ対応する発光管５ａと接触するようになっている。また、熱伝導金属線１５は温度センサ１６の入力端に電気的に接続されており、蛍光ランプ５の発光管５ａの管壁温度が検出できるようになっている。そして、本実施形態では、温度センサ１６の出力値をインバータ１７に入力することで蛍光ランプ５の点灯制御を行っている。例えば、蛍光ランプ５の電極５ｃ（図７（ｃ）参照）に塗布された電子放射性物質（エミッタ）が消失した場合に起こる電極５ｃの異常温度上昇を温度センサ１６により検出して、蛍光ランプ５を消灯させるのである。ここに、温度センサ１６により温度検出手段が構成され、インバータ１７により制御手段が構成されている。
【００６０】
而して、本実施形態の表示装置によれば、温度センサ１６を仕切板６に設けることによって、温度センサ１６を電極５ｃの近傍に配置することができるので、寿命末期における電極５ｃの温度上昇を正確に検出することができ、さらに温度上昇を検出した際に蛍光ランプ５を消灯させることで安全性を高めた表示装置を提供することができる。
【図面の簡単な説明】
【００６１】
【図１】実施形態１の表示装置を示し、（ａ）は正面図、（ｂ）は同上に用いられる液晶表示部と蛍光ランプの位置関係を示す正面図、（ｃ）はＡ部詳細斜視図である。
【図２】実施形態２の表示装置を示し、（ａ）は正面図、（ｂ）は同上の一部破断せる斜視図、（ｃ）は同上に用いられる液晶表示部と蛍光ランプの位置関係を示す正面図、（ｄ）は副液晶表示部に表示される操作画面である。
【図３】実施形態３の表示装置を示し、（ａ）は正面図、（ｂ）は右側面図である。
【図４】実施形態４の表示装置を示し、（ａ）は正面図、（ｂ）は同上に用いられる液晶表示部と蛍光ランプの位置関係を示す正面図である。
【図５】実施形態５の表示装置を示し、（ａ）は正面図、（ｂ）は同上に用いられる液晶表示部と蛍光ランプの位置関係を示す正面図である。
【図６】実施形態６の表示装置を示し、（ａ）は同上に用いられる液晶表示部と蛍光ランプの位置関係を示す正面図、（ｂ）は同上を側面から見た断面図、（ｃ）はＢ部詳細図である。
【図７】実施形態７の表示装置を示し、（ａ）は同上に用いられる液晶表示部と蛍光ランプの位置関係を示す正面図、（ｂ）は同上を側面から見た断面図、（ｃ）はＣ部詳細図である。
【符号の説明】
【００６２】
３  主液晶表示部
４  副液晶表示部
５  蛍光ランプ
５ａ  発光管
６  仕切板（仕切部材）
【図１】
2009288346.tif 000003
【図２】
2009288346.tif 000004
【図３】
2009288346.tif 000005
【図４】
2009288346.tif 000006
【図５】
2009288346.tif 000007
【図６】
2009288346.tif 000008
【図７】
2009288346.tif 000009